(57)【要約】【課題】水などの液体を用いずにフィルターに付着した切粉などの塵埃を除去できると共に除去した塵埃を確実に集塵して簡単に処分することが可能な集塵塵埃捕集機を提供する。【解決手段】塵埃捕集機本体２の外観を覆うことによりその外部に切粉塵埃が飛散することを防止する筐体６、筐体内に取り付けられた集塵筒状フィルター３を回転させるモータ１６、集塵筒状フィルター３の下方に配設したゴミ袋２３の装着された塵埃収容容器１２を備える。モータ１６の駆動により集塵筒状フィルター３を回転させ集塵筒状フィルター３の表面に付着した切粉を、回転に伴う遠心力等により集塵筒状フィルター３の表面から剥離し、比較的重量のある切粉塵埃を筐体内で自重により落下させゴミ袋２３に収容する。【選択図】図４
2010051866.tif 000002
【特許請求の範囲】
【請求項１】
別装置の集塵機に設けられたフィルターで集塵された塵埃を該フィルターから除去して捕集する集塵塵埃捕集機であって、
該塵埃捕集機本体の外観を覆うことによりその外部に前記フィルターから除去された塵埃が飛散することを防止する筐体と、
該筐体内に前記フィルターを水平方向になるようにして取り付け取り外し自在、かつ回転自在に支持するフィルター支持手段と、
該フィルター支持手段を回転させる回転駆動手段と、
前記筐体内に取り付けられる前記フィルターの外周面に接触するように設けられる複数の塵埃ハンマー手段と、
前記筐体内に取り付けられる前記フィルターの下方に配設された除去塵埃を収容する塵埃収容容器とを備え、
前記回転駆動手段の駆動により、前記筐体内に取り付けられた前記フィルターを回転させながら、該フィルターで集塵された塵埃を前記塵埃ハンマー手段により叩き落して前記筐体内を自重により落下させ、該落下してきた塵埃を前記塵埃収容容器に収容することを特徴とする集塵塵埃捕集機。
【請求項２】
前記筐体内に取り付けられるフィルターの形状が円筒形で、その円周方向に山折り部と谷折り部とが繰り返し形成されている蛇腹部を備えたものの場合には、前記塵埃ハンマー手段は、前記筐体内に取り付けられる筒状フィルターの回転に伴ってその蛇腹部の表面に接触されることで該筒状フィルターに振動を与えることができる位置に塵埃ハンマー手段を設けたことを特徴とする請求項１記載の集塵塵埃捕集機。
【請求項３】
前記塵埃ハンマー手段は、前記塵埃収容容器と前記筐体内に取り付けられる筒状フィルターとの間に配置すると共に、該筒状フィルターの直下近傍に設けられ、該筐体内に取り付けられる筒状フィルターの蛇腹部の山折り部の先端部から３ミリメートル程度まで奥の部位に接触するようにして配置され、該塵埃ハンマー手段は前記筐体内に取り付けられる筒状フィルターが回転されることにより、その先端部から３ミリメートル程度まで奥の接触部位に対して断続的に接触され、前記筐体内に取り付けられる筒状フィルターの外周を叩いて振動を与えるように構成したことを特徴とする請求項２記載の集塵塵埃捕集機。
【請求項４】
前記塵埃ハンマー手段は外形が円柱型であって回転自在に設けられた複数の独立したローラーハンマーを備えており、該ローラーハンマーの軸線と前記筐体内に取り付けられて回転させられる筒状フィルターの軸線方向とを実質的に同じ方向に配置したことにより、これらの接触部位の摩擦抵抗を抑える構成としたことを特徴とする請求項２又は３に記載の集塵塵埃捕集機。
【請求項５】
前記筐体内に取り付けられるフィルターの内側から外側に向かって圧縮空気を噴出させるために、エアーコンプレッサーに接続され、該フィルターの内側に加圧空気を放出し得るように配管された圧縮空気供給配管と、これと共に前記筐体内に取り付けられるフィルターから叩き落された微細な粉塵を含む空気を前記筐体の外部へ吸い出すためのバキュームクリーナー用の電源コンセントとを備えたことを特徴とする請求項１記載の集塵塵埃捕集機。
【請求項６】
前記エアーコンプレッサーとしては通常工場内に常備されているエアーコンプレッサーを用い、前記バキュームクリーナーとしては市販の掃除機を用いることができるように、前記圧縮空気供給配管への圧縮空気の供給を制御する電磁開閉弁と、前記バキュームクリーナーの前記電源コンセントへの電源供給を制御する開閉スイッチとを備えたことを特徴とする請求項５記載の集塵塵埃捕集機。
【請求項７】
請求項５又は請求項６記載の集塵塵埃捕集機によって、別装置の集塵機に設けられたフィルターで集塵された塵埃を該フィルターから除去して捕集する集塵塵埃捕集方法であり、以下のステップから構成される集塵塵埃捕集方法。
（１）別装置の集塵機に設けられたフィルターを取り外して本集塵塵埃捕集機に取り付ける。
（２）本集塵塵埃捕集機に外付けのエアーコンプレッサーから伸びる耐圧チューブを介して圧縮空気供給配管に連結する。
（３）本集塵塵埃捕集機に外付けのバキュームクリーナー用電源コンセントにバキュームクリーナーのプラグを差し込む。
（４）本集塵塵埃捕集機の動作開始スイッチをＯＮして、モータにより取り付けられたフィルターを一方の方向に所定時間回転させる、その後反対の方向に所定時間回転させる。
（５）本集塵塵埃捕集機の動作開始スイッチＯＮと略同時に、電磁開閉弁を開き、かつバキュームクリーナー用電源コンセントへの電源供給スイッチをＯＮする。
（６）モータの回転を止め、それと略同時に電磁開閉弁を閉じる。
（７）所定時間の後に、バキュームクリーナー用電源コンセントへの電源供給スイッチをＯＦＦする。
【発明の詳細な説明】
【技術分野】
【０００１】
本発明は、別装置の集塵機のフィルターに付着した塵埃を除去する際に、該集塵機からフィルターを取り外し該フィルターに付着した集塵塵埃を捕集する集塵塵埃捕集機及びその方法に関し、特に、レーザー加工等で金属板を切断した際に生じる切粉塵埃の付着した筒状のフィルターから切粉塵埃を除去し捕集することができる集塵塵埃捕集機及びその方法に関する。
【背景技術】
【０００２】
従来、生産工場で集塵機を使用する場合には、目や、皮膚や、呼吸等に対して刺激性があるか有害な粉塵を補足して外気中に出さないためである。これらの、塵埃は長期に暴露することにより塵肺症になる危険性も高い。一方、経済的観点から集塵機のフィルターを再生させるために、塵埃を捕捉したフィルターを集塵機から取り出して再生するか、新しいフィルターに交換することも一般的に行われている。
【０００３】
従来から、工場設備として設置した集塵機で、切粉塵埃が付着して汚れたフィルターから塵埃を除去してフィルターの再生をする際には、専用掃除機で吸引してフィルターに捕捉された塵埃を除去・再生する方法があるが、これは専用掃除機のフィルターの処理が困難であり、その際に粉塵を撒き散らす危険性も大きい。より簡単に、エアーで吹き飛ばすことも考えられるが、これは周囲に最悪な環境汚染をもたらす。また、塵埃を捕捉したフィルターを直接水洗いしたり、或いは、汚れの付着したフィルターを循環槽内でつけ洗いするなどして汚れを除去する方法も一般的に行なわれている。しかし、フィルターに目詰まりした切粉などの塵埃を、水を用いて除去するとなると、使用した水は必然的に汚れてしまい汚水（ヘドロ）となる。そのため、例えば、汚水を濾過することなくそのままの状態で廃棄処分しようとすると、自然環境を破壊する原因にもなりかねないし、種々の法的規制もある。また、仮に汚れてしまった水をきれいな状態に戻すために、濾過処理をすることも考えが及ばないわけではないが、その際は、煩雑な濾過工程を要することになってしまう。
【０００４】
上記従来技術に関連するものとして、特許文献１には、集塵した空気流を水中に通すことで塵を水中内に捕らえる集塵掃除器が開示されている。
【０００５】
【特許文献１】特開平１０−１２８０３３号公報
【発明の開示】
【発明が解決しようとする課題】
【０００６】
前述した特許文献１に開示されている集塵掃除器によれば、集塵した空気流を水中に通すことで塵等を水中内で捕捉するため、容器に溜められた水は、塵等を含んでしまい汚水となってしまう。そこで、その汚水は廃棄する前に自然環境を破壊しない状態に濾過するか、若しくは、専門業者に引き取って貰い廃棄処理してもらうなどの何らかの対策を講じなければならない。
【０００７】
本発明は、具体的には、レーザー加工等で金属板を切断した際に生じる切粉塵埃用の集塵機に用いられる集塵フィルターに付着した集塵塵埃を除去する際に上記課題を解決するものであり、水などの液体を用いずにフィルターに付着した切粉（酸化鉄粉塵）などの塵埃のフィルター内部への侵入を防止し、集塵した塵埃を除去できると共に除去した塵埃を確実に集塵して簡単に処分することが可能な集塵塵埃捕集機を提供することを目的とする。レーザー加工等での切粉塵埃用の集塵機に用いられる集塵フィルターに付着する切粉塵埃は、フィルター１個当たり約３００ｇ／２週間であり、一般的な集塵機として１８個のフィルターを備えているものでトータル約５ｋｇ／２週間である。もちろん、本発明は、レーザー加工の集塵機のフィルターに付着した集塵塵埃を除去・捕集に限らず種々の塵埃を集塵したフィルターの再生に利用可能なものである。
【課題を解決するための手段】
【０００８】
本発明に係る請求項１の集塵塵埃捕集機は、別装置の集塵機に設けられたフィルターで集塵された塵埃を該フィルターから除去して捕集する集塵塵埃捕集機であって、該塵埃捕集機本体の外観を覆うことによりその外部に前記フィルターから除去された塵埃が飛散することを防止する筐体と、該筐体内に前記フィルターを水平方向になるようにして取り付け取り外し自在、かつ回転自在に支持するフィルター支持手段と、該フィルター支持手段を回転させる回転駆動手段と、前記筐体内に取り付けられる前記フィルターの外周面に接触するように設けられる複数の塵埃ハンマー手段と、前記筐体内に取り付けられる前記フィルターの下方に配設された除去塵埃を収容する塵埃収容容器とを備え、前記回転駆動手段の駆動により、前記筐体内に取り付けられた前記フィルターを回転させながら、該フィルターで集塵された塵埃を前記塵埃ハンマー手段により叩き落して前記筐体内を自重により落下させ、該落下してきた塵埃を前記塵埃収容容器に収容することを特徴とする。
【０００９】
上記請求項１の構成により、フィルターから塵埃を除去し捕集する際、モータ等の回転駆動手段を駆動しフィルターを回転させると、回転に伴う塵埃ハンマー手段の叩き落し効果と遠心力により筒状フィルターに付着している切粉は除去される。このとき、除去される重量の大きな塵埃は、その自重により落下して塵埃収容容器に捕集される。
【００１０】
さらに、本発明に係る請求項２の集塵塵埃捕集機は請求項１において、前記筐体内に取り付けられるフィルターの形状が円筒形で、その円周方向に山折り部と谷折り部とが繰り返し形成されている蛇腹部を備えたものの場合には、前記塵埃ハンマー手段は、前記筐体内に取り付けられる筒状フィルターの回転に伴ってその蛇腹部の表面に接触されることで該筒状フィルターに振動を与えることができる位置に塵埃ハンマー手段を設けたことを特徴とする。
【００１１】
上記請求項２の構成により、筒状フィルターに付着した塵埃を除去するに際し、塵埃ハンマー手段が筒状フィルターに振動を与えるので、フィルター効果を向上するために表面積を増大させた蛇腹状の筒状フィルターであっても、より一層確実に集塵塵埃を除去することが可能になる。
【００１２】
さらに、本発明に係る請求項３の集塵塵埃捕集機は請求項２において、前記塵埃ハンマー手段は、前記塵埃収容容器と前記筐体内に取り付けられる筒状フィルターとの間に配置すると共に、該筒状フィルターの直下近傍に設けられ、該筐体内に取り付けられる筒状フィルターの蛇腹部の山折り部の先端部から３ミリメートル程度まで奥の部位に接触するようにして配置され、該塵埃ハンマー手段は前記筐体内に取り付けられる筒状フィルターが回転されることにより、その先端部から３ミリメートル程度まで奥の接触部位に対して断続的に接触され、前記筐体内に取り付けられる筒状フィルターの外周を叩いて振動を与えるように構成したことを特徴とする。
【００１３】
上記請求項３の構成により、筒状フィルターに付着した切粉塵埃を除去するに際し、塵埃ハンマー手段が筒状フィルターの直下近傍において該筒状フィルターの奥深くまでを叩いて振動を与えるので、フィルター効果を向上するために表面積を増大させた蛇腹状の筒状フィルターであっても、さらに確実に切粉を除去することが可能になる。
【００１４】
さらに、本発明に係る請求項４の集塵塵埃捕集機は請求項２又は３において、前記塵埃ハンマー手段は外形が円柱型であって回転自在に設けられた複数の独立したローラーハンマーを構成しており、該ローラーハンマーの軸線と前記筐体内に取り付けられて回転させられる筒状フィルターの軸線方向とを実質的に同じ方向に配置したことにより、これらの接触部位の摩擦抵抗を抑える構成としたことを特徴とする。
【００１５】
上記請求項４の構成により、筒状フィルターが回転されることで塵埃ハンマー手段が筒状フィルターを叩くなどして振動を与えているとき、塵埃ハンマー手段に設けた複数の独立したローラーハンマーが回転されることで筒状フィルターに対する摩擦を抑えることができるので、例えば筒状フィルターの蛇腹状の部位が紙などの比較的摩擦抵抗に弱い材質であったとしても、それらが損傷することを抑え、筒状フィルターを何回も再利用することができ、また、筒状フィルターに対する摩擦抵抗を軽減できるので、筒状フィルターを比較的高回転で回転させ、回転に伴う遠心力を増大することができるので、筒状フィルターに付着した切粉塵埃をよりきれいに除去することが可能になる。
【００１６】
さらに、本発明に係る請求項５の集塵塵埃捕集機は請求項１において、前記筐体内に取り付けられるフィルターの内側から外側に向かって圧縮空気を噴出させるために、エアーコンプレッサーに接続され、該フィルターの内側に加圧空気を放出し得るように配管された圧縮空気供給配管と、これと共に前記筐体内に取り付けられるフィルターから叩き落された微細な粉塵を含む空気を前記筐体の外部へ吸い出すためのバキュームクリーナー用の電源コンセントとを備えたことを特徴とする。
【００１７】
上記請求項５の構成により、圧縮空気供給配管とバキュームクリーナー用の電源コンセントとを備えたことにより、フィルターの内側から外側に向かって空気を通過させることでフィルターの外周面に目詰まりしている切粉塵埃を確実に取り除くことができ、フィルターの外周面に目詰まりしていた比較的微細な粉塵が筐体内で浮遊したとしても、これらをバキュームクリーナーで筐体の外側に吸い出し、浮遊した粉塵が筒状フィルターに再び付着することがないようにより確実に除去することができ、ひいては、塵埃捕集機本体の塵埃収容容器に加え、バキュームクリーナー内にも切粉塵埃を捕集することができる。
【００１８】
さらに、本発明に係る請求項６の集塵塵埃捕集機は請求項５項において、前記エアーコンプレッサーとしては通常工場内に常備されているエアーコンプレッサーを用い、前記バキュームクリーナーとしては市販の掃除機を用いることができるように、前記圧縮空気供給配管への圧縮空気の供給を制御する電磁開閉弁と、前記バキュームクリーナーの前記電源コンセントへの電源供給を制御する開閉スイッチとを備えたことを特徴とする。
【００１９】
上記請求項６の構成により、前記圧縮空気供給配管への圧縮空気の供給を制御する電磁開閉弁と、前記バキュームクリーナーの前記電源コンセントへの電源供給を制御する開閉スイッチとを備えることにより、通常工場内に常備されているエアーコンプレッサー及びバキュームクリーナーを用いることが可能であり、簡便な集塵塵埃捕集機を構成することが可能になる。
【００２０】
本発明に係る請求項７集塵塵埃捕集方法は、請求項５又は請求項６記載の集塵塵埃捕集機によって、別装置の集塵機に設けられたフィルターで集塵された塵埃を該フィルターから除去して捕集する集塵塵埃捕集方法であり、以下のステップから構成される集塵塵埃捕集方法を特徴とする。
（１）別装置の集塵機に設けられたフィルターを取り外して本集塵塵埃捕集機に取り付ける。
（２）本集塵塵埃捕集機に外付けのエアーコンプレッサーから伸びる耐圧チューブを介して圧縮空気供給配管に連結する。
（３）本集塵塵埃捕集機に外付けのバキュームクリーナー用電源コンセントにバキュームクリーナーのプラグを差し込む。
（４）本集塵塵埃捕集機の動作開始スイッチをＯＮして、モータにより取り付けられたフィルターを一方の方向に所定時間回転させる、その後反対の方向に所定時間回転させる。
（５）本集塵塵埃捕集機の動作開始スイッチＯＮと略同時に、電磁開閉弁を開き、かつバキュームクリーナー用電源コンセントへの電源供給スイッチをＯＮする。
（６）モータの回転を止め、それと略同時に電磁開閉弁を閉じる。
（７）所定時間の後に、バキュームクリーナー用電源コンセントへの電源供給スイッチをＯＦＦする。
【００２１】
上記請求項７の構成により、フィルターを順次回転方向変えて回転させ、塵埃ハンマー手段により叩くことにより、捕捉されていたフィルター上の塵埃を効率的に叩き落すことができ、さらに、フィルターか回転用のモータを停止した後、所定時間はバキュームクリーナー用電源コンセントへの電源を供給するので、塵埃捕集機本体内に粉塵を浮遊させた状態で集塵塵埃捕集機を停止することがない。
【発明の効果】
【００２２】
以上のように請求項１の集塵塵埃捕集機の発明によれば、別装置の集塵機に設けられたフィルターで集塵された塵埃を該フィルターから除去して捕集する集塵塵埃捕集機であって、該塵埃捕集機本体の外観を覆うことによりその外部に前記フィルターから除去された塵埃が飛散することを防止する筐体と、該筐体内に前記フィルターを水平方向になるようにして取り付け取り外し自在、かつ回転自在に支持するフィルター支持手段と、該フィルター支持手段を回転させる回転駆動手段と、前記筐体内に取り付けられる前記フィルターの外周面に接触するように設けられる複数の塵埃ハンマー手段と、前記筐体内に取り付けられる前記フィルターの下方に配設された除去塵埃を収容する塵埃収容容器とを備え、前記回転駆動手段の駆動により、前記筐体内に取り付けられた前記フィルターを回転させながら、該フィルターで集塵された塵埃を前記塵埃ハンマー手段により叩き落して前記筐体内を自重により落下させ、該落下してきた塵埃を前記塵埃収容容器に収容するので、回転駆動手段で回転されるフィルターの叩き落し効果及び遠心力によりフィルターに付着している塵埃を除去することができると共に除去された塵埃を塵埃収容容器に捕集することができる。さらに、塵埃の除去及びこの除去された塵埃を捕集するに際し、従来のように塵埃を含んだ汚水処理を行なわずに済むので、煩雑な汚水の処理作業を解消でき捕集された塵埃を簡単に廃棄することができる。
【００２３】
さらに、請求項２の集塵塵埃捕集機の発明によれば、請求項１の集塵塵埃捕集機において、前記筐体内に取り付けられるフィルターの形状が円筒形で、その円周方向に山折り部と谷折り部とが繰り返し形成されている蛇腹部を備えたものの場合には、前記塵埃ハンマー手段は、前記筐体内に取り付けられる筒状フィルターの回転に伴ってその蛇腹部の表面に接触されることで該筒状フィルターに振動を与えることができる位置に塵埃ハンマー手段を設けたので、フィルター効果を向上するために表面積を増大させた凹凸を有する蛇腹状の筒状フィルターであっても、フィルターの外周を叩いてより一層確実に塵埃を除去することができる。
【００２４】
さらに、請求項３の集塵塵埃捕集機の発明によれば、請求項２の集塵塵埃捕集機において、前記塵埃ハンマー手段は、前記塵埃収容容器と前記筐体内に取り付けられる筒状フィルターとの間に配置すると共に、該筒状フィルターの直下近傍に設けられ、該筐体内に取り付けられる筒状フィルターの蛇腹部の山折り部の先端部から３ミリメートル程度まで奥の部位に接触するようにして配置され、該塵埃ハンマー手段は前記筐体内に取り付けられる筒状フィルターが回転されることにより、その先端部から３ミリメートル程度まで奥の接触部位に対して断続的に接触され、前記筐体内に取り付けられる筒状フィルターの奥深くまでを叩いて振動を与えるように構成したので、フィルター効果を向上するために表面積を増大させた蛇腹状の筒状フィルターであっても、さらに確実に切粉を除去することができる。
【００２５】
さらに、請求項４の集塵塵埃捕集機の発明によれば、請求項２又は３の集塵塵埃捕集機において、前記塵埃ハンマー手段は外形が円柱型であって回転自在に設けられた複数の独立したローラーハンマーを構成しており、該ローラーハンマーの軸線と前記筐体内に取り付けられて回転させられる筒状フィルターの軸線方向とを実質的に同じ方向に配置したことにより、これらの接触部位の摩擦抵抗を抑えることが可能となり、筒状フィルターに付着した塵埃を除去する際、筒状フィルターの蛇腹状の部位が比較的摩擦抵抗に弱い材質であったとしても、その損傷を抑え、筒状フィルターを多数回再生利用することが可能になる。さらに、筒状フィルターに対する摩擦抵抗は軽減されるので、筒状フィルターの回転に伴う遠心力を増大させ、筒状フィルターに付着した切粉をよりきれいに除去することができる。
【００２６】
さらに、請求項５の集塵塵埃捕集機の発明によれば、請求項１の集塵塵埃捕集機において、前記筐体内に取り付けられるフィルターの内側から外側に向かって圧縮空気を噴出させるために、エアーコンプレッサーに接続され、該フィルターの内側に加圧空気を放出し得るように配管された圧縮空気供給配管と、これと共に前記筐体内に取り付けられるフィルターから叩き落された微細な粉塵を含む空気を前記筐体の外部へ吸い出すためのバキュームクリーナー用の電源コンセントとを備えたので、フィルターの外周面に目詰まりしている塵埃を確実に取り除くことができ、さらに、比較的微細な粉塵が筐体内で浮遊しても、浮遊した切粉がフィルターに再び付着して堆積等することがないようバキュームクリーナー内に集塵できるので、より確実に塵埃を除去することができる。
【００２７】
さらに、請求項６の集塵塵埃捕集機の発明によれば、請求項５の集塵塵埃捕集機において、前記エアーコンプレッサーとしては通常工場内に常備されているエアーコンプレッサーを用い、前記バキュームクリーナーとしては市販の掃除機を用いることができるように、前記圧縮空気供給配管への圧縮空気の供給を制御する電磁開閉弁と、前記バキュームクリーナーの前記電源コンセントへの電源供給を制御する開閉スイッチとを備えたので、通常工場内に常備されているエアーコンプレッサー及びバキュームクリーナーを用いることが可能であり、簡便な集塵塵埃捕集機を構成することが可能になる。
【００２８】
請求項７の集塵塵埃捕集方法の発明によれば、別装置の集塵機から外したフィルターを取り付けるだけで、フィルターを順次回転方向変えて回転させ、塵埃ハンマー手段により叩くことにより、捕捉されていたフィルター上の塵埃を効率的に叩き落として、フィルターを再生することができる。さらに、バキュームクリーナーへの電源供給用スイッチを制御することにより、フィルターか回転用のモータを停止した後、所定時間はバキュームクリーナー用電源コンセントへの電源を供給するので、塵埃捕集機本体内に粉塵を浮遊させた状態で集塵塵埃捕集機を停止することがない。
【発明を実施するための最良の形態】
【００２９】
以下、本発明の集塵塵埃捕集機を実施するための最良の形態として、レーザーにより金属を切断加工した際に発生する切粉を集塵する別装置の集塵機に設けられた集塵筒状フィルターで集塵された切粉塵埃を該集塵筒状フィルターから除去して捕集する集塵筒状フィルター用の集塵塵埃捕集機の実施例を図１〜図８により以下に説明する。もちろん、本発明は、その発明の趣旨に反しない範囲で、実施例において説明した以外の構成のものに対しても容易に適用可能なことは説明を要するまでもない。
【００３０】
図１は本発明の一例を示す集塵塵埃捕集機を示す斜視図、図２は塵埃捕集機本体を示す右側面図、図３は塵埃捕集機本体の左側面図、図４は塵埃捕集機本体を背面側から視た状態を示す断面図、図５は塵埃捕集機本体を側面側から視た状態を示す断面図、図６は塵埃捕集機本体内に回転自在に取り付けられた集塵筒状フィルターを示す斜視図、図７（ａ）（ｂ）はローラーハンマーを示す正面図及び側面図、図８は塵埃ハンマー手段の別実施例を示す部分図である。
【００３１】
図１に示すように集塵塵埃捕集機１は、塵埃捕集機本体２から構成されており、この塵埃捕集本体２内（筐体内）には、別装置の集塵機から取り外された集塵筒状フィルター３が取り付け取り外し自在に取り付けられ得るように構成されている。さらに塵埃捕集機本体２には、筐体内に取り付けられる集塵筒状フィルター３の内側に加圧された空気を供給するエアーコンプレッサー５０、及び、塵埃捕集機本体２内の微細塵埃を含んだ汚れた空気を吸い出すバキュームクリーナー５（業務用掃除機）を接続可能に構成しているが、これらも、本発明の集塵塵埃捕集機１を直接構成するものではない。これらは、通常、一般的な工場には備えられている設備であり、本発明の集塵塵埃捕集機１は、工場設備の圧縮空気源であるエアーコンプレッサー５０に接続され得る構成とした圧縮空気供給配管、及びバキュームクリーナー５の電源コンセントを備えているものである。これにより、本発明の集塵塵埃捕集機１は、使用時には、工場に設備してあるエアーコンプレッサー５０及びバキュームクリーナー５を使用して、所期の効果を達成できるものであるが、纏まりのある製品としては、エアーコンプレッサー５０に接続され得る構成とした圧縮空気供給配管、及び、バキュームクリーナー５の電源コンセントを備えているのみである。このように、本発明の集塵塵埃捕集機１は、塵埃の捕集を実施する際に必要なエアーコンプレッサー５０及びバキュームクリーナー５を、装置発明の必須の構成要件とはしていない点でもある。これにより、簡便な集塵塵埃捕集機を提供できるものである。塵埃捕集機本体２の外観は、その内部の空間部Ｓが外部に露出しないように筐体６で覆われており、筐体６は上部に開口部７が形成された筐体カバー１０と、筐体カバー１０の上部に着脱自在な取手付き蓋体１１と、後述する塵埃収容容器１２を出し入れするための扉部１３（図３）から構成されている。
【００３２】
図１、図４などに示すように、塵埃捕集機本体２の筐体６内には、レーザー加工等で金属を切断した際に発生した切粉塵埃を集塵する別装置の集塵機から取り外された切粉塵埃が付着した集塵筒状フィルター３がフィルター支持手段６１，６２により、取り付け取り外し自在で、かつ回転自在に取り付けられるようになっており、この集塵筒状フィルター３を支持したフィルター支持手段６１は、筐体カバー１０の内側に一体に装着された駆動伝達手段たるモータ１６によって、プーリ１７、駆動ベルト１８を介して回転駆動される。なお、プーリ１７及び駆動ベルト１８は、図２に示すように、塵埃捕集機本体２の右側の筐体カバー１０の外側に設けられており、その下方には、外付けのバキュームクリーナー５に電源を供給するためのコンセント２０が設けられている。モータ１６は、筐体カバー１０の内側の密閉空間に設けられ、その出力軸を外に出してプーリ１７に連結されている。
【００３３】
また、図３に示すように、塵埃捕集機本体２の左側には、バキュームクリーナー５へ空気を吸い出す吸出管２１が接続されており、その下方側には、集塵筒状フィルター３から掻き落とされ除去されて筐体内を自重により落下された切粉が収容される塵埃収容容器１２を設けている。塵埃収容容器１２は、塵埃捕集機本体２外部に引き出すために、下部にキャスター等を設けており、前方は扉部１３によって筐体６を開閉自在とするように構成されている。なお、筐体６内に舞い上がった微細な粉塵は、外付けのバキュームクリーナー５により吸い出されて、バキュームクリーナー５の内部に備えた図示しないフィルターにより濾過され、バキュームクリーナー５内の図示しないフィルター等に補足される。なお、バキュームクリーナー５は通常の工場に設置されている場合が多いので、本発明の集塵塵埃捕集機１の構成要件とはしていない。本発明はバキュームクリーナー５に電源を供給するための電源コンセント２０とその電源の制御スイッチのみを備えたものである。
【００３４】
次に、図４及び図５に基づき、塵埃捕集機本体２の内部構造についてさらに説明する。これらの図に示すように、筐体内の上方には前述した別装置の集塵機から取り外された集塵筒状フィルター３がフィルター支持手段６１，６２により、取り付けられて回転自在に設けれ、その下方には集塵筒状フィルター３と離間して該フィルター３から除去され叩き落とされる塵埃を収容する塵埃収容容器１２が設けられ、塵埃収容容器１２には、図４に示すようにゴミ袋２３が装着されている。このゴミ袋２３は、通常のビニール製で十分であるが、内部に収容された微細粉塵が外部に漏れ出さない材料であれば、その他の材料を用いることは可能である。また、２５は集塵筒状フィルター３から除去された切粉塵埃をゴミ袋２３に導く一対の案内部材であり、この案内部材２５は、図５に示すように逆ハの字型をなし、その上端部が筐体カバー１０の内壁に一体に固定されている。
【００３５】
４０は集塵筒状フィルター３の直下近傍であって、別装置の集塵装置から取り外されて装着された集塵筒状フィルター３の先端から３ミリメートル程度まで奥の部位に入り込んで集塵筒状フィルター３のフィルター面に接触されるハンマー手段としての合成樹脂製の塵埃ハンマー手段４０である。この塵埃ハンマー手段４０は、外形が円柱状に形成された複数の独立したローラーハンマー４１を備えており、そのローラーハンマー４１の軸線方向と、塵埃捕集機本体２内のフィルター支持手段６１，６２に取り付けられて回転される集塵筒状フィルター３の軸線方向とは略同方向（水平方向）となっている。各ローラーハンマー４１は筐体カバー１０に一体に装着された固定バー４２に取り付けられ、集塵筒状フィルター３が回転されているときには、集塵筒状フィルター３の蛇腹部３２の山折り部３２Ａ（より詳しくは先端部から３ミリメートル程度まで奥の部位）に各ローラーハンマー４１が接触する。各ローラーハンマー４１は、リボン鋼等のスプリング材製の弾性支持部材４３によって支持されている。また、各ローラーハンマー４１は、支持軸４４により回転自在に支持されているので、集塵筒状フィルター３との接触部位の摩擦抵抗は抑えられ、集塵筒状フィルター３の表面が損傷してしまうことを防止できるようになっている。弾性支持部材４３は、適宜、金属或いは合成樹脂製の弾性部材で形成されて固定バー４２に取り付けられており、集塵筒状フィルター３が回転すると、その蛇腹部３２が塵埃ハンマー手段４０全体を弾性変形させながら回転することにより、ローラーハンマー４１が集塵筒状フィルター３の蛇腹部３２を弾性的に叩き、集塵されていた切粉塵埃を叩き落す。
【００３６】
この塵埃ハンマー手段４０は、同じ集塵筒状フィルター３の直下近傍であっても、図８に示すように中心から約２０度傾けた位置で一対の塵埃ハンマー手段４０Ａ，４０Ｂを固定バー４２Ａ，４２Ｂによって支持しても良い。また、この塵埃ハンマー手段４０は、本実施例においては固定バーに取り付けており、集塵筒状フィルター３の中心から一定の距離を保って指示されているが、図示はしないが、塵埃ハンマー手段４０の位置、つまり集塵筒状フィルター３の中心からの塵埃ハンマー手段４０の距離を調節可能にすることができるものである。さらに、本実施例においては、この塵埃ハンマー手段４０は、直線状の固定バー４２或いは、４２Ａ，４２Ｂによって支持されているが、集塵筒状フィルター３の直下近傍において、螺旋状に配置した固定バー（図示なし）に複数の独立したローラーハンマー４１を設ける構成としても良い。これにより、集塵筒状フィルター３の蛇腹部３２を順次弾性的に叩くことができ、集塵されていた切粉塵埃をより効果的に叩き落すことができる。
【００３７】
集塵筒状フィルター３は、通常はテトロン成形フィルターから成るカートリッジエレメントであり、図５に示すように、その円周方向に、前述した山折り部３２Ａと、谷折り部３２Ｂが繰り返し形成された蛇腹部３２を有している。本発明においては、集塵筒状フィルター３で集塵された切粉の殆どは、上記塵埃ハンマー手段４０の叩き落し動作により、叩き落される。本発明の集塵塵埃捕集機１は、本発明の直接の構成要件ではないエアーコンプレッサー５０からの加圧された加圧空気を導入できるように圧縮空気供給配管５１と電磁開閉弁５５を備えている。エアーコンプレッサー５０から伸びる耐圧チューブ５３を圧縮空気供給配管５１にカプラ５７を介して連結して集塵筒状フィルター３の内側に放出されるようになっている。なお、カプラ５７の下流側には電磁開閉弁５５が設けられており、この電磁開閉弁５５の切り替え操作を行うことにより、集塵筒状フィルター３の内側に圧縮空気を放出したり、それを止めたりする切り替え動作を行なうものである。電磁開閉弁５５の操作のタイミング等については後段にて説明する。
【００３８】
本発明の集塵塵埃捕集機１は、筐体６内の適宜箇所に振動発生モータ３０を設けることが可能である。振動発生モータ３０の詳細は図示しないが、その構造は既に一般的な振動発生装置として周知である。この振動発生モータ３０は以下に説明する最後の工程でバキュームクリーナー５の作動中に振動動作をさせて、その振動により集塵塵埃捕集機１の筐体６内部に付着した塵埃を塵埃収容容器１２内に落とすようにしている。
【００３９】
次に、本発明の集塵塵埃捕集機１の使用方法について説明する。先ず、筐体カバー１０の上部を覆っている蓋体１１を取り外し、別装置の集塵装置から取り外され切粉塵埃が付着して汚れている集塵筒状フィルター３をフィルター支持手段６１，６２に対して所定位置に組み付けた後に、蓋体１１を筐体カバー１０の上部の元の位置に取り付ける。
【００４０】
次に、塵埃捕集機本体２に電源を供給するための接続コード７１のプラグ（図示なし）を建物等に設置された電源供給部に接続すると、塵埃捕集機本体２に電源が供給され、本発明の直接の構成要件ではないバキュームクリーナー５用のコンセント２０にも同様に電源が供給可能となる。このコンセント２０への電源供給のタイミングは、後段で説明するが、塵埃捕集機本体２の電源ボタン３８を押したときである。
【００４１】
次に、本発明の直接の構成要件ではないエアーコンプレッサー５０から伸びる耐圧チューブ５３をカプラ５７を介して圧縮空気供給配管５１に連結し、やはり、本発明の直接の構成要件ではないバキュームクリーナー５に電源を供給するために、塵埃捕集機本体２の電源コンセント２０にバキュームクリーナー５のプラグを差し込み、吸引配管２２にバキュームクリーナー５の吸出管２１を接続する。これ等の作業は事前に各接続を完了しておくことも可能である。
【００４２】
次に、塵埃捕集機本体２の電源スイッチ３６をオンにすると、モータ１６の回転駆動が開始され、プーリ１７及び駆動ベルト１８を介して、フィルター支持手段６１が回転され、集塵筒状フィルター３が回転駆動される。これにより、塵埃捕集機本体２の電源ランプ３８が点灯し、運転中を表示するランプ３７も点灯する。なお、集塵筒状フィルター３は、回転開始から所定時間（３０〜９０秒間）は正方向（図５に示す時計方向）に回転され、続いて所定時間（３０〜９０秒間）は逆方向（図５に示す反時計方向）に回転された後、モータ１６は自動的に停止されるよう自動制御されることから、谷折り部３２Ｂ同士の隙間に付着した、除去し難い切粉であっても、集塵筒状フィルター３が正逆両方向に回転されることで効果的に切粉を叩き落して除去することができる。
【００４３】
前述した集塵筒状フィルター３の回転が開始されると同時に或いは直後に、自動制御手段により、閉じられた状態にある電磁開閉弁５５が開かれると共に、バキュームクリーナー５への電源供給スイッチがＯＮ作動される。これにより、エアーコンプレッサー５０で加圧された圧縮空気が集塵筒状フィルター３の内側に放出される。これと共に微細な切粉粉塵を含む空気が吸出管２１に接続されたバキュームクリーナー５によって吸い出される。エアーコンプレッサー５０からの圧縮空気供給量は、電磁開閉弁５５の開度によって制御できるが、その供給量は業務用掃除機のバキュームクリーナー５による吸引空気量よりも少ない量とするのが好ましい。それは、バキュームクリーナー５による吸引空気量がエアーコンプレッサー５０からの圧縮空気供給量より多いことにより、筐体６内の圧力が常に負圧となり、筐体内の微細な粉塵が外部に漏れ出さないからである。これにより、筐体カバー１０と蓋体１１、筐体カバー１０と扉部１３、モータ軸の支持部、筐体への各管路の取り付け部等のシール構造等を確実にすることなく、粉塵の漏出を防ぐことが可能である。
【００４４】
このときには、集塵筒状フィルター３が回転されることで蛇腹部３２の先端部から３ミリメートルまで奥の部位とローラーハンマー４１の円周方向の外周面とが接触され、ローラーハンマー４１は前記蛇腹部３２の先端部から３ミリメートルまで奥の部位を叩き振動を与えることで、蛇腹部３２に集塵されていた切粉は、ローラーハンマー４１の叩く動作によって集塵筒状フィルター３の表面から叩き落されてきれいに剥離除去される。そして、この剥離除去された金属製の切粉等の大きな塵埃は、図５に示すように、自重によって案内部材２５などで誘導されながら、塵埃収容容器１２のゴミ袋２３内に落下され堆積されてゆく。また、集塵筒状フィルター３の叩き落し動作と回転に伴う遠心力に加え、さらにエアーコンプレッサー５０からの圧縮空気の風力が剥離除去を完全なものとする。なお、集塵筒状フィルター３から剥離除去された切粉塵埃の内、比較的微細な切粉（粉塵）に関しては筐体内で浮遊するため塵埃捕集機本体２の下方のゴミ袋内に速やかに捕集することが難しいものの、バキュームクリーナー５が作動することにより、吸出管２１を介し筐体６内からバキュームクリーナー５に微細な切粉は吸い出されてゆき、バキュームクリーナー内部の図示しないフィルタ内に集塵され、これにより、比較的大きな切粉塵埃はゴミ袋２３に収容され、一方微細な切粉粉塵はバキュームクリーナー５に集塵されることになる。
【００４５】
本発明の集塵塵埃捕集機の運転制御は、運転スイッチのＯＮにより運転が開始されると、集塵筒状フィルター３は、開始から所定時間（３０〜９０秒間）は正方向に回転され、続いて所定時間（３０〜９０秒間）は逆方向に回転された後、モータ１６は自動的に停止されるよう自動制御される。モータ１６の回転が停止した後、電磁開閉弁５５は閉じられるが、バキュームクリーナー５用のコンセント２０への電源供給は所定時間（１０〜２０秒間）続けられる。従って、モータ１６が停止した後も所定時間（１０〜２０秒間）はバキュームクリーナー５の吸引が継続され、その後、操作の全てが終了して停止する。これらの所定時間は、具体的な事例に応じて変更が可能であることは云うまでもない。
【００４６】
以上のように、本実施例における集塵塵埃捕集機１は、比較的重量のある切粉塵埃はその自重によりゴミ袋２３に収容し、水などの液体を用いずに切粉塵埃を確実に捕集することができるものである。つまり、筐体内で軸線方向が水平方向になるようにして回転自在に取り付けられた集塵筒状フィルター３を回転させるモータ１６、及び集塵筒状フィルター３の下方に配設したゴミ袋２３を装着した塵埃収容容器１２を備え、モータ１６の回転駆動により集塵筒状フィルター３を回転させ、集塵筒状フィルター３に付着した切粉を、回転に伴う遠心力により集塵筒状フィルター３の表面から剥離除去し、比較的重量のあるほとんどの切粉塵埃については、その自重により落下させて塵埃収容容器１２（詳しくは塵埃収容容器１２のゴミ袋２３）にほとんどを収容することができる。筐体６内で浮遊したすなわち筐体内で舞い上がった微細な切粉粉塵については吸出管２１からバキュームクリーナー５で吸引捕集し、塵埃捕集機本体２の外部に切粉が飛散することを防止する。しかも、集塵筒状フィルター３から除去された切粉塵埃を捕集するに際し、従来のように切粉等の塵埃を含んだ汚水の処理を行なわずに済むことから、煩雑な汚水の処理作業を解消でき、集塵筒状フィルター３から除去され集塵された切粉を簡単に廃棄することができる。
【００４７】
さらに、エアーコンプレッサー５０を接続可能に構成したことにより、集塵筒状フィルター３の内側に加圧された空気を放出し、通気性を有する集塵筒状フィルター３の蛇腹部３２内側から外側に向かって空気を通過させ、これと同時に集塵筒状フィルター３の外側に排出されてきた切粉を含む空気を筐体６の外部へ吸い出すバキュームクリーナー５を接続可能に備えたことにより、集塵筒状フィルター３の内側から外側に向かって空気を通過させることで集塵筒状フィルター３の外周面に目詰まりしている切粉をも確実に取り除くことができる。これにより、集塵筒状フィルター３の外周面に目詰まりしていた比較的微細な切粉粉塵が筐体内で舞い上がり浮遊しても、これら浮遊した微細な切粉粉塵をバキュームクリーナー５で筐体の外側に吸い出し、筐体内で浮遊している切粉粉塵が集塵筒状フィルター３に再び付着することを可及的に防止することができる。しかも、塵埃捕集機本体２の塵埃収容容器１２には比較的大きな切粉塵埃を自重によって落下・捕集させ、捕集できなかった微細な切粉粉塵に関してはバキュームクリーナー５に捕集するので、切粉塵埃の捕集を確実に行なうことができる。
【００４８】
さらに、集塵筒状フィルター３は円周方向に山折り部３２Ａと谷折り部３２Ｂとが繰り返し形成されている蛇腹部３２を備えているが、ハンマー部材たるローラーハンマー４１が集塵筒状フィルター３の回転に伴って蛇腹部３２の表面に接触されることで集塵筒状フィルター３に振動を与えるので、フィルター効果を向上するために表面積を増大させた凹凸を有する蛇腹部３２であっても、より一層確実に切粉を除去することができる。
【００４９】
さらに、塵埃ハンマー手段４０を塵埃収容容器１２と集塵筒状フィルター３との間に配置すると共に集塵筒状フィルター３の直下近傍に設けたので、塵埃ハンマー手段４０で振動が与えられ集塵筒状フィルター３から除去された切粉はその自重により集塵筒状フィルター３の下方に設けた塵埃収容容器１２のゴミ袋２３にほとんどを捕集することができる。すなわち、例えばハンマー部材としてのローラーハンマー４１が集塵筒状フィルター３の上方に配置されている場合には、たとえ集塵筒状フィルターから切粉が除去されたとしても、除去された切粉は集塵筒状フィルターに再び付着してしまい目詰まりの原因になるが、ハンマー手段たる塵埃ハンマー手段４０を塵埃収容容器１２と集塵筒状フィルター３との間に配置し、且つ塵埃ハンマー手段４０を集塵筒状フィルター３の直下近傍に設けることで、こうした不具合を解消でき、集塵筒状フィルター３から除去された切粉が再度集塵筒状フィルター３に付着する前に速やかに且つ確実に集塵することができる。
【００５０】
さらに、塵埃ハンマー手段４０は、外形が円柱型であって回転自在に設けられた複数の独立したローラーハンマー４１を構成しており、ローラーハンマー４１と集塵筒状フィルター３との軸線方向を実質的に同じ方向（水平方向）にしたものである。すなわち、これらの軸線方向が実質的に同じであるということは、集塵筒状フィルター３の回転に伴い、これと連動して塵埃ハンマー手段４０のローラーハンマー４１が回転されることになり、これらの接触部位の摩擦抵抗を抑えられることが可能になることから、例えば集塵筒状フィルター３の蛇腹部３２が紙などの比較的摩擦抵抗に弱い材質であったとしても、それらが損傷することを抑えることができ、切粉の目詰まりした集塵筒状フィルター３を何回でも除塵（再生）して再利用することができる。また、ローラーハンマー４１と集塵筒状フィルター３との摩擦抵抗を軽減できることで、集塵筒状フィルター３を比較的高回転で回転させ、回転に伴う遠心力、送風力を増大することができ、集塵筒状フィルター３に付着した切粉をより一層きれいに除去することが可能になる。
【００５１】
さらに、バキュームクリーナー５として市販の業務用掃除機を採用できるように、バキュームクリーナー５に電源を供給することができるコンセント２０を塵埃捕集機本体２に備えたので、コンセント２０に市販の業務用掃除機を接続して使用することができるので、利便性及び汎用性を向上することができる。
【００５２】
以上、本実施例の一実施例を詳述したが、本発明は、前記実施例に限定されるものではなく、本発明の要旨の範囲内で種々の変形実施が可能である。例えば、実施例では集塵筒状フィルター３として説明しているが、円筒形に限るものではなく、また、塵埃収容容器１２にはゴミ袋２３を装着して、このゴミ袋内に切粉が集塵されるようにしているが塵埃収容容器１２に直接切粉を集塵するなど適宜選定実施してもよい。
【図面の簡単な説明】
【００５３】
【図１】本発明の一例を示す集塵塵埃捕集機を示す斜視図である。
【図２】同上、塵埃捕集機本体を示す右側面図である。
【図３】同上、塵埃捕集機本体の左側面図である。
【図４】同上、塵埃捕集機本体を背面側から視た状態を示す断面図である。
【図５】同上、塵埃捕集機本体を側面側から視た状態を示す断面図である。
【図６】同上、塵埃捕集機本体内に回転自在に取り付けられた集塵筒状フィルターを示す斜視図である。
【図７】同上、ローラーハンマーを示す詳細図であり、（ａ）は正面図、（ｂ）は側面図である。
【図８】同上、塵埃ハンマー手段の別実施例を示す部分図である。
【符号の説明】
【００５４】
１  集塵塵埃捕集機
２  塵埃捕集機本体
３  集塵筒状フィルター（フィルター）
５  バキュームクリーナー
６  筐体
１２  塵埃収容容器
１６  モータ（回転駆動手段）
２０  電源コンセント
４０  塵埃ハンマー手段
４１  ローラーハンマー（ハンマー部材）
３２  蛇腹部
３２Ａ  山折り部
３２Ｂ  谷折り部
５０  エアーコンプレッサー
５１  圧縮空気供給配管
５５  電磁開閉弁
６１，６２  フィルター支持手段
【図１】
2010051866.tif 000003
【図２】
2010051866.tif 000004
【図３】
2010051866.tif 000005
【図４】
2010051866.tif 000006
【図５】
2010051866.tif 000007
【図６】
2010051866.tif 000008
【図７】
2010051866.tif 000009
【図８】
2010051866.tif 000010
【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
別装置の集塵機に設けられたフィルターで集塵された塵埃を該フィルターから除去して捕集する集塵塵埃捕集機であって、
該塵埃捕集機本体の外部に前記フィルターから除去された塵埃が飛散することを防止する筐体と、
該筐体内に前記フィルターを水平方向になるようにして取り付け取り外し自在、かつ回転自在に支持するフィルター支持手段と、
該フィルター支持手段を回転させる回転駆動手段と、
前記筐体内に取り付けられる前記フィルターの外周面に接触するように設けられる複数の塵埃ハンマー手段と、
前記筐体内に取り付けられる前記フィルターの下方に出し入れ自在に配設された除去塵埃を収容する塵埃収容容器と、
前記筐体内に取り付けられるフィルターの内側から外側に向かって圧縮空気を噴出させるために、エアーコンプレッサーに接続され、該フィルターの内側に加圧空気を放出し得るように配管された圧縮空気供給配管と、
前記筐体内に取り付けられるフィルターから叩き落された微細な粉塵を含む空気を前記筐体の外部へ吸い出すためのバキュームクリーナー用として設けられた電源コンセントと、
前記圧縮空気供給配管への圧縮空気の供給を制御する電磁開閉弁と、
前記バキュームクリーナー用の前記電源コンセントへの電源供給を制御する開閉スイッチと、
集塵塵埃捕集機の動作を制御する自動制御手段とを備え、
該自動制御手段は、電源スイッチのオンにより制御を開始して、前記回転駆動手段を所定時間駆動させ、かつ、前記電磁開閉弁を制御して前記圧縮空気供給配管へ加圧空気を放出させ、所定時間経過後に前記回転駆動手段の駆動及び加圧空気の放出を停止した後には、所定時間だけ前記バキュームクリーナー用の前記電源コンセントへの電源供給を継続するように構成されており、
前記回転駆動手段の駆動により、前記筐体内に取り付けられた前記フィルターを回転させながら、該フィルターで集塵された塵埃を前記塵埃ハンマー手段により叩き落して前記筐体内を自重により落下させ、該落下してきた塵埃を前記塵埃収容容器に収容し、微細な粉塵は前記バキュームクリーナーにより捕集されることを特徴とする集塵塵埃捕集機。
【請求項２】
前記筐体内に取り付けられるフィルターの形状が円筒形で、その円周方向に山折り部と谷折り部とが繰り返し形成されている蛇腹部を備えたものの場合には、前記塵埃ハンマー手段は、前記筐体内に取り付けられる筒状フィルターの回転に伴ってその蛇腹部の表面に接触されることで該筒状フィルターに振動を与えることができる位置に塵埃ハンマー手段を設けたことを特徴とする請求項１記載の集塵塵埃捕集機。
【請求項３】
前記塵埃ハンマー手段は、前記塵埃収容容器と前記筐体内に取り付けられる筒状フィルターとの間に配置すると共に、該筒状フィルターの直下近傍に設けられ、該筐体内に取り付けられる筒状フィルターの蛇腹部の山折り部の先端部から奥にかけての部位に接触するようにして配置され、該塵埃ハンマー手段は前記筐体内に取り付けられる筒状フィルターが回転されることにより、その先端部から奥にかけての接触部位に対して断続的に接触され、前記筐体内に取り付けられる筒状フィルターの外周を叩いて振動を与えるように構成したことを特徴とする請求項２記載の集塵塵埃捕集機。
【請求項４】
前記塵埃ハンマー手段は外形が円柱型であって回転自在に設けられた複数の独立したローラーハンマーを備えており、該ローラーハンマーの軸線と前記筐体内に取り付けられて回転させられる筒状フィルターの軸線方向とを実質的に同じ方向に配置したことにより、これらの接触部位の摩擦抵抗を抑える構成としたことを特徴とする請求項２又は３に記載の集塵塵埃捕集機。
【請求項５】
請求項１記載の集塵塵埃捕集機によって、別装置の集塵機に設けられたフィルターで集塵された塵埃を該フィルターから除去して捕集する集塵塵埃捕集方法であり、以下のステップを順に行うことを特徴とする集塵塵埃捕集方法。
（１）別装置の集塵機に設けられたフィルターを取り外して本集塵塵埃捕集機に取り付ける。
（２）本集塵塵埃捕集機に外付けのエアーコンプレッサーから伸びる耐圧チューブを介して圧縮空気供給配管に連結する。
（３）本集塵塵埃捕集機に外付けのバキュームクリーナー用電源コンセントにバキュームクリーナーのプラグを差し込む。
（４）本集塵塵埃捕集機の動作開始スイッチをＯＮして、前記回転駆動手段としてのモータにより取り付けられたフィルターを一方の方向に所定時間回転させる、その後反対の方向に所定時間回転させる。
（５）本集塵塵埃捕集機の動作開始スイッチＯＮと略同時に、電磁開閉弁を開き、かつバキュームクリーナー用電源コンセントへの電源供給スイッチをＯＮする。
（６）モータの回転を止め、それと略同時に電磁開閉弁を閉じる。
（７）所定時間の後に、バキュームクリーナー用電源コンセントへの電源供給スイッチをＯＦＦする。
【手続補正２】
【補正対象書類名】明細書
【補正対象項目名】全文
【補正方法】変更
【補正の内容】
【発明の詳細な説明】
【技術分野】
【０００１】
本発明は、別装置の集塵機のフィルターに付着した塵埃を除去する際に、該集塵機からフィルターを取り外し該フィルターに付着した集塵塵埃を捕集する集塵塵埃捕集機及びその方法に関し、特に、レーザー加工等で金属板を切断した際に生じる切粉塵埃の付着した筒状のフィルターから切粉塵埃を除去し捕集することができる集塵塵埃捕集機及びその方法に関する。
【背景技術】
【０００２】
従来、生産工場で集塵機を使用する場合には、目や、皮膚や、呼吸等に対して刺激性があるか有害な粉塵を補足して外気中に出さないためである。これらの、塵埃は長期に暴露することにより塵肺症になる危険性も高い。一方、経済的観点から集塵機のフィルターを再生させるために、塵埃を捕捉したフィルターを集塵機から取り出して再生するか、新しいフィルターに交換することも一般的に行われている。
【０００３】
従来から、工場設備として設置した集塵機で、切粉塵埃が付着して汚れたフィルターから塵埃を除去してフィルターの再生をする際には、専用掃除機で吸引してフィルターに捕捉された塵埃を除去・再生する方法があるが、これは専用掃除機のフィルターの処理が困難であり、その際に粉塵を撒き散らす危険性も大きい。より簡単に、エアーで吹き飛ばすことも考えられるが、これは周囲に最悪な環境汚染をもたらす。また、塵埃を捕捉したフィルターを直接水洗いしたり、或いは、汚れの付着したフィルターを循環槽内でつけ洗いするなどして汚れを除去する方法も一般的に行なわれている。しかし、フィルターに目詰まりした切粉などの塵埃を、水を用いて除去するとなると、使用した水は必然的に汚れてしまい汚水（ヘドロ）となる。そのため、例えば、汚水を濾過することなくそのままの状態で廃棄処分しようとすると、自然環境を破壊する原因にもなりかねないし、種々の法的規制もある。また、仮に汚れてしまった水をきれいな状態に戻すために、濾過処理をすることも考えが及ばないわけではないが、その際は、煩雑な濾過工程を要することになってしまう。
【０００４】
上記従来技術に関連するものとして、特許文献１には、集塵した空気流を水中に通すことで塵を水中内に捕らえる集塵掃除器が開示されている。
【０００５】
【特許文献１】特開平１０−１２８０３３号公報
【発明の開示】
【発明が解決しようとする課題】
【０００６】
前述した特許文献１に開示されている集塵掃除器によれば、集塵した空気流を水中に通すことで塵等を水中内で捕捉するため、容器に溜められた水は、塵等を含んでしまい汚水となってしまう。そこで、その汚水は廃棄する前に自然環境を破壊しない状態に濾過するか、若しくは、専門業者に引き取って貰い廃棄処理してもらうなどの何らかの対策を講じなければならない。
【０００７】
本発明は、具体的には、レーザー加工等で金属板を切断した際に生じる切粉塵埃用の集塵機に用いられる集塵フィルターに付着した集塵塵埃を除去する際に上記課題を解決するものであり、水などの液体を用いずにフィルターに付着した切粉（酸化鉄粉塵）などの塵埃のフィルター内部への侵入を防止し、集塵した塵埃を除去できると共に除去した塵埃を確実に集塵して簡単に処分することが可能な集塵塵埃捕集機を提供することを目的とする。レーザー加工等での切粉塵埃用の集塵機に用いられる集塵フィルターに付着する切粉塵埃は、フィルター１個当たり約３００ｇ／２週間であり、一般的な集塵機として１８個のフィルターを備えているものでトータル約５ｋｇ／２週間である。もちろん、本発明は、レーザー加工の集塵機のフィルターに付着した集塵塵埃を除去・捕集に限らず種々の塵埃を集塵したフィルターの再生に利用可能なものである。
【課題を解決するための手段】
【０００８】
本発明に係る請求項１の集塵塵埃捕集機は、別装置の集塵機に設けられたフィルターで集塵された塵埃を該フィルターから除去して捕集する集塵塵埃捕集機であって、該塵埃捕集機本体の外部に前記フィルターから除去された塵埃が飛散することを防止する筐体と、該筐体内に前記フィルターを水平方向になるようにして取り付け取り外し自在、かつ回転自在に支持するフィルター支持手段と、該フィルター支持手段を回転させる回転駆動手段と、前記筐体内に取り付けられる前記フィルターの外周面に接触するように設けられる複数の塵埃ハンマー手段と、前記筐体内に取り付けられる前記フィルターの下方に出し入れ自在に配設された除去塵埃を収容する塵埃収容容器と、前記筐体内に取り付けられるフィルターの内側から外側に向かって圧縮空気を噴出させるために、エアーコンプレッサーに接続され、該フィルターの内側に加圧空気を放出し得るように配管された圧縮空気供給配管と、前記筐体内に取り付けられるフィルターから叩き落された微細な粉塵を含む空気を前記筐体の外部へ吸い出すためのバキュームクリーナー用として設けられた電源コンセントと、前記圧縮空気供給配管への圧縮空気の供給を制御する電磁開閉弁と、前記バキュームクリーナー用の前記電源コンセントへの電源供給を制御する開閉スイッチと、集塵塵埃捕集機の動作を制御する自動制御手段とを備え、該自動制御手段は、電源スイッチのオンにより制御を開始して、前記回転駆動手段を所定時間駆動させ、かつ、前記電磁開閉弁を制御して前記圧縮空気供給配管へ加圧空気を放出させ、所定時間経過後に前記回転駆動手段の駆動及び加圧空気の放出を停止した後には、所定時間だけ前記バキュームクリーナー用の前記電源コンセントへの電源供給を継続するように構成されており、前記回転駆動手段の駆動により、前記筐体内に取り付けられた前記フィルターを回転させながら、該フィルターで集塵された塵埃を前記塵埃ハンマー手段により叩き落して前記筐体内を自重により落下させ、該落下してきた塵埃を前記塵埃収容容器に収容し、微細な粉塵は前記バキュームクリーナーにより捕集されることを特徴とする。
【０００９】
上記請求項１の構成により、フィルターから塵埃を除去し捕集する際、モータ等の回転駆動手段を駆動しフィルターを回転させると、回転に伴う塵埃ハンマー手段の叩き落し効果と遠心力により筒状フィルターに付着している切粉は除去される。このとき、除去される重量の大きな塵埃は、その自重により落下して塵埃収容容器に捕集される。しかも、圧縮空気供給配管とバキュームクリーナー用の電源コンセントとを備えたことにより、フィルターの内側から外側に向かって空気を通過させることでフィルターの外周面に目詰まりしている切粉塵埃を確実に取り除くことができ、フィルターの外周面に目詰まりしていた比較的微細な粉塵が筐体内で浮遊したとしても、これらをバキュームクリーナーで筐体の外側に吸い出し、浮遊した粉塵が筒状フィルターに再び付着することがないようにより確実に除去することができ、ひいては、塵埃捕集機本体の塵埃収容容器に加え、バキュームクリーナー内にも切粉塵埃を捕集することができる。
【００１０】
さらに、本発明に係る請求項２の集塵塵埃捕集機は請求項１において、前記筐体内に取り付けられるフィルターの形状が円筒形で、その円周方向に山折り部と谷折り部とが繰り返し形成されている蛇腹部を備えたものの場合には、前記塵埃ハンマー手段は、前記筐体内に取り付けられる筒状フィルターの回転に伴ってその蛇腹部の表面に接触されることで該筒状フィルターに振動を与えることができる位置に塵埃ハンマー手段を設けたことを特徴とする。
【００１１】
上記請求項２の構成により、筒状フィルターに付着した塵埃を除去するに際し、塵埃ハンマー手段が筒状フィルターに振動を与えるので、フィルター効果を向上するために表面積を増大させた蛇腹状の筒状フィルターであっても、より一層確実に集塵塵埃を除去することが可能になる。
【００１２】
さらに、本発明に係る請求項３の集塵塵埃捕集機は請求項２において、前記塵埃ハンマー手段は、前記塵埃収容容器と前記筐体内に取り付けられる筒状フィルターとの間に配置すると共に、該筒状フィルターの直下近傍に設けられ、該筐体内に取り付けられる筒状フィルターの蛇腹部の山折り部の先端部から奥にかけての部位に接触するようにして配置され、該塵埃ハンマー手段は前記筐体内に取り付けられる筒状フィルターが回転されることにより、その先端部から奥にかけての接触部位に対して断続的に接触され、前記筐体内に取り付けられる筒状フィルターの外周を叩いて振動を与えるように構成したことを特徴とする。
【００１３】
上記請求項３の構成により、筒状フィルターに付着した切粉塵埃を除去するに際し、塵埃ハンマー手段が筒状フィルターの直下近傍において該筒状フィルターの奥深くまでを叩いて振動を与えるので、フィルター効果を向上するために表面積を増大させた蛇腹状の筒状フィルターであっても、さらに確実に切粉を除去することが可能になる。
【００１４】
さらに、本発明に係る請求項４の集塵塵埃捕集機は請求項２又は３において、前記塵埃ハンマー手段は外形が円柱型であって回転自在に設けられた複数の独立したローラーハンマーを構成しており、該ローラーハンマーの軸線と前記筐体内に取り付けられて回転させられる筒状フィルターの軸線方向とを実質的に同じ方向に配置したことにより、これらの接触部位の摩擦抵抗を抑える構成としたことを特徴とする。
【００１５】
上記請求項４の構成により、筒状フィルターが回転されることで塵埃ハンマー手段が筒状フィルターを叩くなどして振動を与えているとき、塵埃ハンマー手段に設けた複数の独立したローラーハンマーが回転されることで筒状フィルターに対する摩擦を抑えることができるので、例えば筒状フィルターの蛇腹状の部位が紙などの比較的摩擦抵抗に弱い材質であったとしても、それらが損傷することを抑え、筒状フィルターを何回も再利用することができ、また、筒状フィルターに対する摩擦抵抗を軽減できるので、筒状フィルターを比較的高回転で回転させ、回転に伴う遠心力を増大することができるので、筒状フィルターに付着した切粉塵埃をよりきれいに除去することが可能になる。
【００１６】
本発明に係る請求項５集塵塵埃捕集方法は、請求項１記載の集塵塵埃捕集機によって、別装置の集塵機に設けられたフィルターで集塵された塵埃を該フィルターから除去して捕集する集塵塵埃捕集方法であり、以下のステップを順に行うことを特徴とする。
（１）別装置の集塵機に設けられたフィルターを取り外して本集塵塵埃捕集機に取り付ける。
（２）本集塵塵埃捕集機に外付けのエアーコンプレッサーから伸びる耐圧チューブを介して圧縮空気供給配管に連結する。
（３）本集塵塵埃捕集機に外付けのバキュームクリーナー用電源コンセントにバキュームクリーナーのプラグを差し込む。
（４）本集塵塵埃捕集機の動作開始スイッチをＯＮして、前記回転駆動手段としてのモータにより取り付けられたフィルターを一方の方向に所定時間回転させる、その後反対の方向に所定時間回転させる。
（５）本集塵塵埃捕集機の動作開始スイッチＯＮと略同時に、電磁開閉弁を開き、かつバキュームクリーナー用電源コンセントへの電源供給スイッチをＯＮする。
（６）モータの回転を止め、それと略同時に電磁開閉弁を閉じる。
（７）所定時間の後に、バキュームクリーナー用電源コンセントへの電源供給スイッチをＯＦＦする。
【００１７】
上記請求項５の構成により、フィルターを順次回転方向変えて回転させ、塵埃ハンマー手段により叩くことにより、捕捉されていたフィルター上の塵埃を効率的に叩き落すことができ、さらに、フィルター回転用のモータを停止した後、所定時間はバキュームクリーナー用電源コンセントへの電源を供給するので、塵埃捕集機本体内に粉塵を浮遊させた状態で集塵塵埃捕集機を停止することがない。
【発明の効果】
【００１８】
以上のように集塵塵埃捕集機の発明によれば、別装置の集塵機に設けられたフィルターで集塵された塵埃を該フィルターから除去して捕集する集塵塵埃捕集機であって、該塵埃捕集機本体の外観を覆うことによりその外部に前記フィルターから除去された塵埃が飛散することを防止する筐体と、該筐体内に前記フィルターを水平方向になるようにして取り付け取り外し自在、かつ回転自在に支持するフィルター支持手段と、該フィルター支持手段を回転させる回転駆動手段と、前記筐体内に取り付けられる前記フィルターの外周面に接触するように設けられる複数の塵埃ハンマー手段と、前記筐体内に取り付けられる前記フィルターの下方に配設された除去塵埃を収容する塵埃収容容器とを備え、前記回転駆動手段の駆動により、前記筐体内に取り付けられた前記フィルターを回転させながら、該フィルターで集塵された塵埃を前記塵埃ハンマー手段により叩き落して前記筐体内を自重により落下させ、該落下してきた塵埃を前記塵埃収容容器に収容するので、回転駆動手段で回転されるフィルターの叩き落し効果及び遠心力によりフィルターに付着している塵埃を除去することができると共に除去された塵埃を塵埃収容容器に捕集することができる。さらに、塵埃の除去及びこの除去された塵埃を捕集するに際し、従来のように塵埃を含んだ汚水処理を行なわずに済むので、煩雑な汚水の処理作業を解消でき捕集された塵埃を簡単に廃棄することができる。
【００１９】
さらに、集塵塵埃捕集機の発明によれば、前記筐体内に取り付けられるフィルターの形状が円筒形で、その円周方向に山折り部と谷折り部とが繰り返し形成されている蛇腹部を備えたものの場合には、前記塵埃ハンマー手段は、前記筐体内に取り付けられる筒状フィルターの回転に伴ってその蛇腹部の表面に接触されることで該筒状フィルターに振動を与えることができる位置に塵埃ハンマー手段を設けたので、フィルター効果を向上するために表面積を増大させた凹凸を有する蛇腹状の筒状フィルターであっても、フィルターの外周を叩いてより一層確実に塵埃を除去することができる。
【００２０】
さらに、集塵塵埃捕集機の発明によれば、前記塵埃ハンマー手段は、前記塵埃収容容器と前記筐体内に取り付けられる筒状フィルターとの間に配置すると共に、該筒状フィルターの直下近傍に設けられ、該筐体内に取り付けられる筒状フィルターの蛇腹部の山折り部の先端部から奥にかけての部位に接触するようにして配置され、該塵埃ハンマー手段は前記筐体内に取り付けられる筒状フィルターが回転されることにより、その先端部から奥にかけての接触部位に対して断続的に接触され、前記筐体内に取り付けられる筒状フィルターの奥深くまでを叩いて振動を与えるように構成したので、フィルター効果を向上するために表面積を増大させた蛇腹状の筒状フィルターであっても、さらに確実に切粉を除去することができる。
【００２１】
さらに、集塵塵埃捕集機の発明によれば、前記塵埃ハンマー手段は外形が円柱型であって回転自在に設けられた複数の独立したローラーハンマーを構成しており、該ローラーハンマーの軸線と前記筐体内に取り付けられて回転させられる筒状フィルターの軸線方向とを実質的に同じ方向に配置したことにより、これらの接触部位の摩擦抵抗を抑えることが可能となり、筒状フィルターに付着した塵埃を除去する際、筒状フィルターの蛇腹状の部位が比較的摩擦抵抗に弱い材質であったとしても、その損傷を抑え、筒状フィルターを多数回再生利用することが可能になる。さらに、筒状フィルターに対する摩擦抵抗は軽減されるので、筒状フィルターの回転に伴う遠心力を増大させ、筒状フィルターに付着した切粉をよりきれいに除去することができる。
【００２２】
さらに、集塵塵埃捕集機の発明によれば、前記筐体内に取り付けられるフィルターの内側から外側に向かって圧縮空気を噴出させるために、エアーコンプレッサーに接続され、該フィルターの内側に加圧空気を放出し得るように配管された圧縮空気供給配管と、これと共に前記筐体内に取り付けられるフィルターから叩き落された微細な粉塵を含む空気を前記筐体の外部へ吸い出すためのバキュームクリーナー用の電源コンセントとを備えたので、フィルターの外周面に目詰まりしている塵埃を確実に取り除くことができ、さらに、比較的微細な粉塵が筐体内で浮遊しても、浮遊した切粉がフィルターに再び付着して堆積等することがないようバキュームクリーナー内に集塵できるので、より確実に塵埃を除去することができる。
【００２３】
さらに、集塵塵埃捕集方法の発明によれば、別装置の集塵機から外したフィルターを取り付けるだけで、フィルターを順次回転方向変えて回転させ、塵埃ハンマー手段により叩くことにより、捕捉されていたフィルター上の塵埃を効率的に叩き落として、フィルターを再生することができる。さらに、バキュームクリーナーへの電源供給用スイッチを制御することにより、フィルター回転用のモータを停止した後、所定時間はバキュームクリーナー用電源コンセントへの電源を供給するので、塵埃捕集機本体内に粉塵を浮遊させた状態で集塵塵埃捕集機を停止することがない。
【発明を実施するための最良の形態】
【００２４】
以下、本発明の集塵塵埃捕集機を実施するための最良の形態として、レーザーにより金属を切断加工した際に発生する切粉を集塵する別装置の集塵機に設けられた集塵筒状フィルターで集塵された切粉塵埃を該集塵筒状フィルターから除去して捕集する集塵筒状フィルター用の集塵塵埃捕集機の実施例を図１〜図８により以下に説明する。もちろん、本発明は、その発明の趣旨に反しない範囲で、実施例において説明した以外の構成のものに対しても容易に適用可能なことは説明を要するまでもない。
【００２５】
図１は本発明の一例を示す集塵塵埃捕集機を示す斜視図、図２は塵埃捕集機本体を示す右側面図、図３は塵埃捕集機本体の左側面図、図４は塵埃捕集機本体を背面側から視た状態を示す断面図、図５は塵埃捕集機本体を側面側から視た状態を示す断面図、図６は塵埃捕集機本体内に回転自在に取り付けられた集塵筒状フィルターを示す斜視図、図７（ａ）（ｂ）はローラーハンマーを示す正面図及び側面図、図８は塵埃ハンマー手段の別実施例を示す部分図である。
【００２６】
図１に示すように集塵塵埃捕集機１は、塵埃捕集機本体２から構成されており、この塵埃捕集本体２内（筐体内）には、別装置の集塵機から取り外された集塵筒状フィルター３が取り付け取り外し自在に取り付けられ得るように構成されている。さらに塵埃捕集機本体２には、筐体内に取り付けられる集塵筒状フィルター３の内側に加圧された空気を供給するエアーコンプレッサー５０、及び、塵埃捕集機本体２内の微細塵埃を含んだ汚れた空気を吸い出すバキュームクリーナー５（業務用掃除機）を接続可能に構成しているが、これらも、本発明の集塵塵埃捕集機１を直接構成するものではない。これらは、通常、一般的な工場には備えられている設備であり、本発明の集塵塵埃捕集機１は、工場設備の圧縮空気源であるエアーコンプレッサー５０に接続され得る構成とした圧縮空気供給配管、及びバキュームクリーナー５の電源コンセントを備えているものである。これにより、本発明の集塵塵埃捕集機１は、使用時には、工場に設備してあるエアーコンプレッサー５０及びバキュームクリーナー５を使用して、所期の効果を達成できるものであるが、纏まりのある製品としては、エアーコンプレッサー５０に接続され得る構成とした圧縮空気供給配管、及び、バキュームクリーナー５の電源コンセントを備えているのみである。このように、本発明の集塵塵埃捕集機１は、塵埃の捕集を実施する際に必要なエアーコンプレッサー５０及びバキュームクリーナー５を、装置発明の必須の構成要件とはしていない点でもある。これにより、簡便な集塵塵埃捕集機を提供できるものである。塵埃捕集機本体２の外観は、その内部の空間部Ｓが外部に露出しないように筐体６で覆われており、筐体６は上部に開口部７が形成された筐体カバー１０と、筐体カバー１０の上部に着脱自在な取手付き蓋体１１と、後述する塵埃収容容器１２を出し入れするための扉部１３（図３）から構成されている。
【００２７】
図１、図４などに示すように、塵埃捕集機本体２の筐体６内には、レーザー加工等で金属を切断した際に発生した切粉塵埃を集塵する別装置の集塵機から取り外された切粉塵埃が付着した集塵筒状フィルター３がフィルター支持手段６１，６２により、取り付け取り外し自在で、かつ回転自在に取り付けられるようになっており、この集塵筒状フィルター３を支持したフィルター支持手段６１は、筐体カバー１０の内側に一体に装着された回転駆動手段たるモータ１６によって、プーリ１７、駆動ベルト１８を介して回転駆動される。なお、プーリ１７及び駆動ベルト１８は、図２に示すように、塵埃捕集機本体２の右側の筐体カバー１０の外側に設けられており、その下方には、外付けのバキュームクリーナー５に電源を供給するためのコンセント２０が設けられている。モータ１６は、筐体カバー１０の内側の密閉空間に設けられ、その出力軸を外に出してプーリ１７に連結されている。
【００２８】
また、図３に示すように、塵埃捕集機本体２の左側には、バキュームクリーナー５へ空気を吸い出す吸出管２１が接続されており、その下方側には、集塵筒状フィルター３から掻き落とされ除去されて筐体内を自重により落下された切粉が収容される塵埃収容容器１２を設けている。塵埃収容容器１２は、塵埃捕集機本体２外部に引き出すために、下部にキャスター等を設けており、前方は扉部１３によって筐体６を開閉自在とするように構成されている。なお、筐体６内に舞い上がった微細な粉塵は、外付けのバキュームクリーナー５により吸い出されて、バキュームクリーナー５の内部に備えた図示しないフィルターにより濾過され、バキュームクリーナー５内の図示しないフィルター等に補足される。なお、バキュームクリーナー５は通常の工場に設置されている場合が多いので、本発明の集塵塵埃捕集機１の構成要件とはしていない。本発明はバキュームクリーナー５に電源を供給するための電源コンセント２０とその電源の制御スイッチのみを備えたものである。
【００２９】
次に、図４及び図５に基づき、塵埃捕集機本体２の内部構造についてさらに説明する。これらの図に示すように、筐体内の上方には前述した別装置の集塵機から取り外された集塵筒状フィルター３がフィルター支持手段６１，６２により、取り付けられて回転自在に設けれ、その下方には集塵筒状フィルター３と離間して該フィルター３から除去され叩き落とされる塵埃を収容する塵埃収容容器１２が設けられ、塵埃収容容器１２には、図４に示すようにゴミ袋２３が装着されている。このゴミ袋２３は、通常のビニール製で十分であるが、内部に収容された微細粉塵が外部に漏れ出さない材料であれば、その他の材料を用いることは可能である。また、２５は集塵筒状フィルター３から除去された切粉塵埃をゴミ袋２３に導く一対の案内部材であり、この案内部材２５は、図５に示すように逆ハの字型をなし、その上端部が筐体カバー１０の内壁に一体に固定されている。
【００３０】
４０は集塵筒状フィルター３の直下近傍であって、別装置の集塵装置から取り外されて装着された集塵筒状フィルター３の先端から奥にかけての部位に入り込んで集塵筒状フィルター３のフィルター面に接触されるハンマー手段としての合成樹脂製の塵埃ハンマー手段４０である。この塵埃ハンマー手段４０は、外形が円柱状に形成された複数の独立したローラーハンマー４１を備えており、そのローラーハンマー４１の軸線方向と、塵埃捕集機本体２内のフィルター支持手段６１，６２に取り付けられて回転される集塵筒状フィルター３の軸線方向とは略同方向（水平方向）となっている。各ローラーハンマー４１は筐体カバー１０に一体に装着された固定バー４２に取り付けられ、集塵筒状フィルター３が回転されているときには、集塵筒状フィルター３の蛇腹部３２の山折り部３２Ａ（より詳しくは先端部から３ミリメートル程度まで奥の部位）に各ローラーハンマー４１が接触する。各ローラーハンマー４１は、リボン鋼等のスプリング材製の弾性支持部材４３によって支持されている。また、各ローラーハンマー４１は、支持軸４４により回転自在に支持されているので、集塵筒状フィルター３との接触部位の摩擦抵抗は抑えられ、集塵筒状フィルター３の表面が損傷してしまうことを防止できるようになっている。弾性支持部材４３は、適宜、金属或いは合成樹脂製の弾性部材で形成されて固定バー４２に取り付けられており、集塵筒状フィルター３が回転すると、その蛇腹部３２が塵埃ハンマー手段４０全体を弾性変形させながら回転することにより、ローラーハンマー４１が集塵筒状フィルター３の蛇腹部３２を弾性的に叩き、集塵されていた切粉塵埃を叩き落す。
【００３１】
この塵埃ハンマー手段４０は、同じ集塵筒状フィルター３の直下近傍であっても、図８に示すように中心から約２０度傾けた位置で一対の塵埃ハンマー手段４０Ａ，４０Ｂを固定バー４２Ａ，４２Ｂによって支持しても良い。また、この塵埃ハンマー手段４０は、本実施例においては固定バーに取り付けており、集塵筒状フィルター３の中心から一定の距離を保って指示されているが、図示はしないが、塵埃ハンマー手段４０の位置、つまり集塵筒状フィルター３の中心からの塵埃ハンマー手段４０の距離を調節可能にすることができるものである。さらに、本実施例においては、この塵埃ハンマー手段４０は、直線状の固定バー４２或いは、４２Ａ，４２Ｂによって支持されているが、集塵筒状フィルター３の直下近傍において、螺旋状に配置した固定バー（図示なし）に複数の独立したローラーハンマー４１を設ける構成としても良い。これにより、集塵筒状フィルター３の蛇腹部３２を順次弾性的に叩くことができ、集塵されていた切粉塵埃をより効果的に叩き落すことができる。
【００３２】
集塵筒状フィルター３は、通常はテトロン成形フィルターから成るカートリッジエレメントであり、図５に示すように、その円周方向に、前述した山折り部３２Ａと、谷折り部３２Ｂが繰り返し形成された蛇腹部３２を有している。本発明においては、集塵筒状フィルター３で集塵された切粉の殆どは、上記塵埃ハンマー手段４０の叩き落し動作により、叩き落される。本発明の集塵塵埃捕集機１は、本発明の直接の構成要件ではないエアーコンプレッサー５０からの加圧された加圧空気を導入できるように圧縮空気供給配管５１と電磁開閉弁５５を備えている。エアーコンプレッサー５０から伸びる耐圧チューブ５３を圧縮空気供給配管５１にカプラ５７を介して連結して集塵筒状フィルター３の内側に放出されるようになっている。なお、カプラ５７の下流側には電磁開閉弁５５が設けられており、この電磁開閉弁５５の切り替え操作を行うことにより、集塵筒状フィルター３の内側に圧縮空気を放出したり、それを止めたりする切り替え動作を行なうものである。電磁開閉弁５５の操作のタイミング等については後段にて説明する。
【００３３】
本発明の集塵塵埃捕集機１は、筐体６内の適宜箇所に振動発生モータ３０を設けることが可能である。振動発生モータ３０の詳細は図示しないが、その構造は既に一般的な振動発生装置として周知である。この振動発生モータ３０は以下に説明する最後の工程でバキュームクリーナー５の作動中に振動動作をさせて、その振動により集塵塵埃捕集機１の筐体６内部に付着した塵埃を塵埃収容容器１２内に落とすようにしている。
【００３４】
次に、本発明の集塵塵埃捕集機１の使用方法について説明する。先ず、筐体カバー１０の上部を覆っている蓋体１１を取り外し、別装置の集塵装置から取り外され切粉塵埃が付着して汚れている集塵筒状フィルター３をフィルター支持手段６１，６２に対して所定位置に組み付けた後に、蓋体１１を筐体カバー１０の上部の元の位置に取り付ける。
【００３５】
次に、塵埃捕集機本体２に電源を供給するための接続コード７１のプラグ（図示なし）を建物等に設置された電源供給部に接続すると、塵埃捕集機本体２に電源が供給され、本発明の直接の構成要件ではないバキュームクリーナー５用のコンセント２０にも同様に電源が供給可能となる。このコンセント２０への電源供給のタイミングは、後段で説明するが、塵埃捕集機本体２の電源ボタン３８を押したときである。
【００３６】
次に、本発明の直接の構成要件ではないエアーコンプレッサー５０から伸びる耐圧チューブ５３をカプラ５７を介して圧縮空気供給配管５１に連結し、やはり、本発明の直接の構成要件ではないバキュームクリーナー５に電源を供給するために、塵埃捕集機本体２の電源コンセント２０にバキュームクリーナー５のプラグを差し込み、吸引配管２２にバキュームクリーナー５の吸出管２１を接続する。これ等の作業は事前に各接続を完了しておくことも可能である。
【００３７】
次に、塵埃捕集機本体２の電源スイッチ３６をオンにすると、モータ１６の回転駆動が開始され、プーリ１７及び駆動ベルト１８を介して、フィルター支持手段６１が回転され、集塵筒状フィルター３が回転駆動される。これにより、塵埃捕集機本体２の電源ランプ３８が点灯し、運転中を表示するランプ３７も点灯する。なお、集塵筒状フィルター３は、回転開始から所定時間（３０〜９０秒間）は正方向（図５に示す時計方向）に回転され、続いて所定時間（３０〜９０秒間）は逆方向（図５に示す反時計方向）に回転された後、モータ１６は自動的に停止されるよう自動制御されることから、谷折り部３２Ｂ同士の隙間に付着した、除去し難い切粉であっても、集塵筒状フィルター３が正逆両方向に回転されることで効果的に切粉を叩き落して除去することができる。
【００３８】
前述した集塵筒状フィルター３の回転が開始されると同時に或いは直後に、自動制御手段により、閉じられた状態にある電磁開閉弁５５が開かれると共に、バキュームクリーナー５への電源供給スイッチがＯＮ作動される。これにより、エアーコンプレッサー５０で加圧された圧縮空気が集塵筒状フィルター３の内側に放出される。これと共に微細な切粉粉塵を含む空気が吸出管２１に接続されたバキュームクリーナー５によって吸い出される。エアーコンプレッサー５０からの圧縮空気供給量は、電磁開閉弁５５の開度によって制御できるが、その供給量は業務用掃除機のバキュームクリーナー５による吸引空気量よりも少ない量とするのが好ましい。それは、バキュームクリーナー５による吸引空気量がエアーコンプレッサー５０からの圧縮空気供給量より多いことにより、筐体６内の圧力が常に負圧となり、筐体内の微細な粉塵が外部に漏れ出さないからである。これにより、筐体カバー１０と蓋体１１、筐体カバー１０と扉部１３、モータ軸の支持部、筐体への各管路の取り付け部等のシール構造等を確実にすることなく、粉塵の漏出を防ぐことが可能である。
【００３９】
このときには、集塵筒状フィルター３が回転されることで蛇腹部３２の先端部から奥にかけての部位とローラーハンマー４１の円周方向の外周面とが接触され、ローラーハンマー４１は前記蛇腹部３２の先端部から奥にかけての部位を叩き振動を与えることで、蛇腹部３２に集塵されていた切粉は、ローラーハンマー４１の叩く動作によって集塵筒状フィルター３の表面から叩き落されてきれいに剥離除去される。そして、この剥離除去された金属製の切粉等の大きな塵埃は、図５に示すように、自重によって案内部材２５などで誘導されながら、塵埃収容容器１２のゴミ袋２３内に落下され堆積されてゆく。また、集塵筒状フィルター３の叩き落し動作と回転に伴う遠心力に加え、さらにエアーコンプレッサー５０からの圧縮空気の風力が剥離除去を完全なものとする。なお、集塵筒状フィルター３から剥離除去された切粉塵埃の内、比較的微細な切粉（粉塵）に関しては筐体内で浮遊するため塵埃捕集機本体２の下方のゴミ袋内に速やかに捕集することが難しいものの、バキュームクリーナー５が作動することにより、吸出管２１を介し筐体６内からバキュームクリーナー５に微細な切粉は吸い出されてゆき、バキュームクリーナー内部の図示しないフィルタ内に集塵され、これにより、比較的大きな切粉塵埃はゴミ袋２３に収容され、一方微細な切粉粉塵はバキュームクリーナー５に集塵されることになる。
【００４０】
本発明の集塵塵埃捕集機の運転制御は、運転スイッチのＯＮにより運転が開始されると、集塵筒状フィルター３は、開始から所定時間（３０〜９０秒間）は正方向に回転され、続いて所定時間（３０〜９０秒間）は逆方向に回転された後、モータ１６は自動的に停止されるよう自動制御される。モータ１６の回転が停止した後、電磁開閉弁５５は閉じられるが、バキュームクリーナー５用のコンセント２０への電源供給は所定時間（１０〜２０秒間）続けられる。従って、モータ１６が停止した後も所定時間（１０〜２０秒間）はバキュームクリーナー５の吸引が継続され、その後、操作の全てが終了して停止する。これらの所定時間は、具体的な事例に応じて変更が可能であることは云うまでもない。
【００４１】
以上のように、本実施例における集塵塵埃捕集機１は、比較的重量のある切粉塵埃はその自重によりゴミ袋２３に収容し、水などの液体を用いずに切粉塵埃を確実に捕集することができるものである。つまり、筐体内で軸線方向が水平方向になるようにして回転自在に取り付けられた集塵筒状フィルター３を回転させるモータ１６、及び集塵筒状フィルター３の下方に配設したゴミ袋２３を装着した塵埃収容容器１２を備え、モータ１６の回転駆動により集塵筒状フィルター３を回転させ、集塵筒状フィルター３に付着した切粉を、回転に伴う遠心力により集塵筒状フィルター３の表面から剥離除去し、比較的重量のあるほとんどの切粉塵埃については、その自重により落下させて塵埃収容容器１２（詳しくは塵埃収容容器１２のゴミ袋２３）にほとんどを収容することができる。筐体６内で浮遊したすなわち筐体内で舞い上がった微細な切粉粉塵については吸出管２１からバキュームクリーナー５で吸引捕集し、塵埃捕集機本体２の外部に切粉が飛散することを防止する。しかも、集塵筒状フィルター３から除去された切粉塵埃を捕集するに際し、従来のように切粉等の塵埃を含んだ汚水の処理を行なわずに済むことから、煩雑な汚水の処理作業を解消でき、集塵筒状フィルター３から除去され集塵された切粉を簡単に廃棄することができる。
【００４２】
さらに、エアーコンプレッサー５０を接続可能に構成したことにより、集塵筒状フィルター３の内側に加圧された空気を放出し、通気性を有する集塵筒状フィルター３の蛇腹部３２内側から外側に向かって空気を通過させ、これと同時に集塵筒状フィルター３の外側に排出されてきた切粉を含む空気を筐体６の外部へ吸い出すバキュームクリーナー５を接続可能に備えたことにより、集塵筒状フィルター３の内側から外側に向かって空気を通過させることで集塵筒状フィルター３の外周面に目詰まりしている切粉をも確実に取り除くことができる。これにより、集塵筒状フィルター３の外周面に目詰まりしていた比較的微細な切粉粉塵が筐体内で舞い上がり浮遊しても、これら浮遊した微細な切粉粉塵をバキュームクリーナー５で筐体の外側に吸い出し、筐体内で浮遊している切粉粉塵が集塵筒状フィルター３に再び付着することを可及的に防止することができる。しかも、塵埃捕集機本体２の塵埃収容容器１２には比較的大きな切粉塵埃を自重によって落下・捕集させ、捕集できなかった微細な切粉粉塵に関してはバキュームクリーナー５に捕集するので、切粉塵埃の捕集を確実に行なうことができる。
【００４３】
さらに、集塵筒状フィルター３は円周方向に山折り部３２Ａと谷折り部３２Ｂとが繰り返し形成されている蛇腹部３２を備えているが、ハンマー部材たるローラーハンマー４１が集塵筒状フィルター３の回転に伴って蛇腹部３２の表面に接触されることで集塵筒状フィルター３に振動を与えるので、フィルター効果を向上するために表面積を増大させた凹凸を有する蛇腹部３２であっても、より一層確実に切粉を除去することができる。
【００４４】
さらに、塵埃ハンマー手段４０を塵埃収容容器１２と集塵筒状フィルター３との間に配置すると共に集塵筒状フィルター３の直下近傍に設けたので、塵埃ハンマー手段４０で振動が与えられ集塵筒状フィルター３から除去された切粉はその自重により集塵筒状フィルター３の下方に設けた塵埃収容容器１２のゴミ袋２３にほとんどを捕集することができる。すなわち、例えばハンマー部材としてのローラーハンマー４１が集塵筒状フィルター３の上方に配置されている場合には、たとえ集塵筒状フィルターから切粉が除去されたとしても、除去された切粉は集塵筒状フィルターに再び付着してしまい目詰まりの原因になるが、ハンマー手段たる塵埃ハンマー手段４０を塵埃収容容器１２と集塵筒状フィルター３との間に配置し、且つ塵埃ハンマー手段４０を集塵筒状フィルター３の直下近傍に設けることで、こうした不具合を解消でき、集塵筒状フィルター３から除去された切粉が再度集塵筒状フィルター３に付着する前に速やかに且つ確実に集塵することができる。
【００４５】
さらに、塵埃ハンマー手段４０は、外形が円柱型であって回転自在に設けられた複数の独立したローラーハンマー４１を構成しており、ローラーハンマー４１と集塵筒状フィルター３との軸線方向を実質的に同じ方向（水平方向）にしたものである。すなわち、これらの軸線方向が実質的に同じであるということは、集塵筒状フィルター３の回転に伴い、これと連動して塵埃ハンマー手段４０のローラーハンマー４１が回転されることになり、これらの接触部位の摩擦抵抗を抑えられることが可能になることから、例えば集塵筒状フィルター３の蛇腹部３２が紙などの比較的摩擦抵抗に弱い材質であったとしても、それらが損傷することを抑えることができ、切粉の目詰まりした集塵筒状フィルター３を何回でも除塵（再生）して再利用することができる。また、ローラーハンマー４１と集塵筒状フィルター３との摩擦抵抗を軽減できることで、集塵筒状フィルター３を比較的高回転で回転させ、回転に伴う遠心力、送風力を増大することができ、集塵筒状フィルター３に付着した切粉をより一層きれいに除去することが可能になる。
【００４６】
さらに、バキュームクリーナー５として市販の業務用掃除機を採用できるように、バキュームクリーナー５に電源を供給することができるコンセント２０を塵埃捕集機本体２に備えたので、コンセント２０に市販の業務用掃除機を接続して使用することができるので、利便性及び汎用性を向上することができる。
【００４７】
以上、本実施例の一実施例を詳述したが、本発明は、前記実施例に限定されるものではなく、本発明の要旨の範囲内で種々の変形実施が可能である。例えば、実施例では集塵筒状フィルター３として説明しているが、円筒形に限るものではなく、また、塵埃収容容器１２にはゴミ袋２３を装着して、このゴミ袋内に切粉が集塵されるようにしているが塵埃収容容器１２に直接切粉を集塵するなど適宜選定実施してもよい。
【図面の簡単な説明】
【００４８】
【図１】本発明の一例を示す集塵塵埃捕集機を示す斜視図である。
【図２】同上、塵埃捕集機本体を示す右側面図である。
【図３】同上、塵埃捕集機本体の左側面図である。
【図４】同上、塵埃捕集機本体を背面側から視た状態を示す断面図である。
【図５】同上、塵埃捕集機本体を側面側から視た状態を示す断面図である。
【図６】同上、塵埃捕集機本体内に回転自在に取り付けられた集塵筒状フィルターを示す斜視図である。
【図７】同上、ローラーハンマーを示す詳細図であり、（ａ）は正面図、（ｂ）は側面図である。
【図８】同上、塵埃ハンマー手段の別実施例を示す部分図である。
【符号の説明】
【００４９】
１  集塵塵埃捕集機
２  塵埃捕集機本体
３  集塵筒状フィルター（フィルター）
５  バキュームクリーナー
６  筐体
１２  塵埃収容容器
１６  モータ（回転駆動手段）
２０  電源コンセント
４０  塵埃ハンマー手段
４１  ローラーハンマー（ハンマー部材）
３２  蛇腹部
３２Ａ  山折り部
３２Ｂ  谷折り部
５０  エアーコンプレッサー
５１  圧縮空気供給配管
５５  電磁開閉弁
６１，６２  フィルター支持手段